(57)【特許請求の範囲】
【請求項１】
つま先部と、足底部と、足甲部と、踵部と、足首部とを備えた靴下であって、
前記靴下が、
前記足底部に設けられ、高弾性材から構成され、足の親指のつけ根に対応する位置から踵の外側に対応する位置に延びる第１のＸ字構成要素および足の小指のつけ根に対応する位置から踵の内側部分に対応する位置に延びる第２のＸ字構成要素を有するＸ字型のサポート部と、
前記足首部に設けられて、前記サポート部の踵部側の部分が固定された、少なくともアキレス腱の下の踵の後ろを覆う踵後ろ部と、
前記足甲部のつま先部側に設けられ、前記サポート部の親指のつけ根に対応する部分および小指のつけ根に対応する部分と連結され、且つ高弾性材から構成された、前記サポート部のつま先部側を固定する第１の固定部とを有していると共に、
前記足甲部の前記足首部側に設けられて、前記サポート部の踵の内側に対応する部分および踵の外側に対応する部分と連結され、且つ高弾性材から構成された、前記サポート部の踵部側を固定する第２の固定部を備えている、靴下。
【請求項２】
前記第１の固定部が、前記足甲部の足の親指のつけ根に対応する位置から小指のつけ根に対応する位置に延びる部分に配置され、
前記第２の固定部が、前記足甲部の足首部に近接する足の甲の後部を覆う領域に配置されている請求項１に記載の靴下。
【請求項３】
前記サポート部と前記つま先部とに囲まれた三角領域部とをさらに含み、
前記三角領域部の弾性率が、前記サポート部および前記第１の固定部の弾性率よりも低い請求項２に記載の靴下。
【請求項４】
前記サポート部と前記踵部とに囲まれた三角領域部とをさらに含み、
前記三角領域部の弾性率が、前記サポート部および前記第２の固定部の弾性率よりも低い請求項２に記載の靴下。
【発明の詳細な説明】
【技術分野】
【０００１】
本発明は、足のアーチ構造の機能を保持する靴下に関する。
【背景技術】
【０００２】
図５（ａ）は人の右足の骨格を足の裏側から見た状態を示す図であり、図５（ｂ）は人の右足の骨格を内側（親指側）から見た状態を示す図である。人間の足の骨格５００は、第一中足骨５１０の種子骨５１２と踵骨５３０の踵骨隆起５３２とを結ぶ線５５２に沿って、内側縦アーチ構造Ｒ１を有し、第五中足骨５２０の種子骨５２２と踵骨５３０の踵骨隆起５３２とを結ぶ線５５４に沿って、外側縦アーチ構造Ｒ２を有し、第一中足骨５１０の種子骨５１２と第五中足骨５２０の種子骨５２２とを結ぶ線５５６に沿って、横アーチ構造Ｒ３を有する。これらの足の骨格のアーチ構造は、人が歩いているとき、または人が走っているときの着地したときの足への衝撃を吸収する。しかし、人が長時間、歩いたり走ったりすると、足の骨格のアーチ構造の機能が低下し、足への衝撃を吸収する能力が低下する場合がある。
【０００３】
このような足への衝撃を吸収する能力の低下を抑制するために、足の骨格のアーチ構造の機能を保持する靴下が従来技術と知られている（特許文献１〜１９）。たとえば、特許文献１には、靴下の踵部付近の爪先方向寄りの位置に周方向の伸縮性に富む第１締付け部を周設するとともに、靴下のつま先部付近の踵方向寄りの位置に周方向の伸縮性に富む第２締付け部を周設した靴下であって、靴下の足底部に、第１締付け部と前記第２締付け部を連結するように、靴下の足甲部と比較して靴下の長手方向の伸縮性が低い連結部を設けた靴下が記載されている。
【先行技術文献】
【特許文献】
【０００４】
【特許文献１】特開２００８−５０７４４号公報
【特許文献２】特開２００７−２７７７７９号公報
【特許文献３】特開２００６−３４８４０６号公報
【特許文献４】実用新案登録第３１５７２４３号公報
【特許文献５】特開２００９−４１１４１号公報
【特許文献６】特開２００８−１６１３４４号公報
【特許文献７】特開２００８−１１１２２４号公報
【特許文献８】特開２００７−１００２４０号公報
【特許文献９】特開２００５−３１２５１２号公報
【特許文献１０】特開２００５−４２２１３号公報
【特許文献１１】特開２００３−２９９６８５号公報
【特許文献１２】特許第４０４０６７１号公報
【特許文献１３】実用新案登録第３１３７１９４号公報
【特許文献１４】特開２０１０−１１６６５４号公報
【特許文献１５】特開２００６−２２５８３３号公報
【特許文献１６】特開２００２−６９７０１号公報
【特許文献１７】国際公開第２００７／０７４７３５号パンフレット
【特許文献１８】特開２００９−１５５７６３号公報
【発明の概要】
【発明が解決しようとする課題】
【０００５】
特許文献１に記載の靴下は、足の裏の前後方向に引っ張り応力が発生し、足の骨格のアーチ構造の機能を保持することができるものの、２つのアーチ構造、すなわち内側縦アーチ構造および外側縦アーチ構造のそれぞれに向けて引っ張り応力が働いていないので、足の骨格のアーチ構造の機能が低下するのを防止する効果が弱くなるという問題点がある。
【０００６】
一方、スポーツ医学の分野で、足の骨格のアーチ構造の機能が低下するのを防止して、足の疲れを軽減させる土踏まずのテーピングが知られている。土踏まずのテーピングの一例を図６に示す。このテーピングでは、最初に、親指のつけ根と小指のつけ根を通る足の外周部分にアンカーテープ６１０を貼り付ける。そして、アンカーテープ６１０上を始点として、テープ６２０にテンションをかけながら、テープ６２０が小指のつけ根から、踵の内側、踵の後ろ側および踵の外側を順次通り、親指のつけ根に至るようにテープ６２０を足に貼り付ける。これにより、このテーピングは、内側縦アーチ構造および外側縦アーチ構造のそれぞれに向けて引っ張り応力が働いて、それぞれのアーチ構造の機能を保持することができる。靴下は、テーピングテープのように足に貼り付くものではないので、この効果を靴下で実現することは難しい。
【課題を解決するための手段】
【０００７】
本発明は、上記課題を解決するため、以下の構成を採用した。
すなわち、本発明は、つま先部と、足底部と、足甲部と、踵部と、足首部とを備えた靴下であって、前記靴下が、前記足底部に設けられ、高弾性材から構成され、足の親指のつけ根に対応する位置から踵の外側に対応する位置に延びる第１のＸ字構成要素および足の小指のつけ根に対応する位置から踵の内側部分に対応する位置に延びる第２のＸ字構成要素を有するＸ字型のサポート部と、前記足首部に設けられて、前記サポート部の踵部側の部分が固定された、少なくともアキレス腱の下の踵の後ろを覆う踵後ろ部と、前記足甲部のつま先部側に設けられ、前記サポート部の親指のつけ根に対応する部分および小指のつけ根に対応する部分と連結され、且つ高弾性材から構成された、前記サポート部のつま先部側を固定する第１の固定部とを有していると共に、前記足甲部の前記足首部側に設けられて、前記サポート部の踵の内側に対応する部分および踵の外側に対応する部分と連結され、且つ高弾性材から構成された、前記サポート部の踵部側を固定する第２の固定部を備えている。好ましくは、第１の固定部が、足甲部の足の親指のつけ根に対応する位置から小指のつけ根に対応する位置に延びる部分に配置され、第２の固定部が、足甲部の足首部に近接する足の甲の後部を覆う領域に配置されている。また、本発明の靴下は、サポート部とつま先部とに囲まれた三角領域部とをさらに含み、三角領域部の弾性率が、サポート部および第１の固定部の弾性率よりも低くてもよい。また、本発明の靴下は、サポート部と踵部とに囲まれた三角領域部とをさらに含み、三角領域部の弾性率が、サポート部および前記第２の固定部の弾性率よりも低くてもよい。
【発明の効果】
【０００８】
本発明によれば、内側縦アーチ構造および外側縦アーチ構造のそれぞれに向けて引っ張り応力を作用させることができ、長時間、歩いたり走ったりすることによる足の骨格のアーチ構造の機能の低下をより確実に抑制することができる靴下を提供することができる。
【図面の簡単な説明】
【０００９】
【図１】図１は、本発明の一実施形態の靴下を示す図である。
【図２】図２は、本発明の一実施形態の靴下におけるＸ字型サポート部の引っ張り応力を説明するための図である。
【図３】図３は、本発明の一実施形態の靴下における第１〜３固定部および踵後ろ部の引っ張り応力を説明するための図である。
【図４】図４は、本発明の一実施形態の靴下における前方および後方三角領域部を説明するための図である。
【図５】図５は、足の骨格を説明するための図である。
【図６】図６は、足の骨格のアーチ構造の機能が低下するのを防止するテーピングの一例を示す図である。
【発明を実施するための形態】
【００１０】
図１〜３を参照して、本発明の一実施形態における靴下１を説明する。この靴下１は、ユーザが長時間歩いたり走ったりしても、足の骨格のアーチ構造の機能が低下するのを抑制することができる。
【００１１】
図１は、本発明の一実施形態の靴下を示す図である。図１（ａ）は、右足用の靴下を横方向から見た状態を示す図であり、図１（ｂ）は、靴下の足底を示した図である。本発明の一実施形態の靴下１は、つま先部１０、足底部２０、足甲部３０、踵部４０および足首部５０を備える。足底部２０は、前方三角領域部２２、Ｘ字型サポート部２４、後方三角領域部２６を有する。足甲部３０は、指つけ根メッシュ部３２、第１固定部３４、メッシュ部３６および第２固定部３８を有する。足首部５０は、第３固定部５２、踵後ろ部５４および口ゴム部５６を有する。ここで、足のつま先方向を足の前方とし、足の踵方向を足の後方とし、足の底側を足の下とし、足の甲側を足の上とする。また、足の親指側を足の内側とし、足の小指側を足の外側とする。
【００１２】
つま先部１０は、つま先を覆う袋状の、靴下１の構成部分である。
【００１３】
Ｘ字型サポート部２４は、足の底の親指のつけ根に対応する部分から踵の外側に対応する部分へ延びるＸ字型サポート部構成要素２４ａと、小指のつけ根に対応する部分から踵の内側に対応する部分へ伸びるＸ字型サポート部構成要素２４ｂとからなる。Ｘ字型サポート部２４は、足の底の方から見るとＸ字状に見える。構成要素２４ａと構成要素２４ｂとからなるＸ字型部分は、１つのＸ字形状の生地で構成するようにしてもよいし、Ｉ字型の２枚の生地を組み合わせて構成するようにしてもよい。前方三角領域部２２は、つま先部１０とＸ字型サポート部２４とで囲まれた、靴下１の構成部分であり、前方に辺を有し後方に頂角を有する略三角形の形状を有する。後方三角領域部２６は、Ｘ字型サポート部２４と後述の踵部４０とで囲まれた、靴下１の構成部分であり、前方に頂角を有し後方に辺を有する略三角形の形状を有する。
【００１４】
踵部４０は、少なくとも踵の下側を覆う、靴下１の構成部分である。
【００１５】
指つけ根メッシュ部３２は、足の指のつけ根部分を上方から覆う、靴下１の構成部分である。第１固定部３４は、親指のつけ根に対応する部分から足の甲側を通って小指のつけ根に対応する部分に延びる、靴下１の構成部分である。第１固定部３４は、Ｘ字型サポート部２４の親指のつけ根に対応する部分および小指のつけ根に対応する部分と連結し、Ｘ字型サポート部２４のつま先部１０側の部分を固定している。メッシュ部３６は、第１固定部３４と後述の第２固定部３８とＸ字型サポート部２４とに囲まれた、足の甲の部分および足の裏の部分を覆う、靴下１の構成部分である。第２固定部３８は、足の甲の部分のうち、足首に近接する足の甲の後部を覆う、靴下１の構成部分である。第２固定部３８は、Ｘ字型サポート部２４の踵の内側に対応する部分および踵の外側に対応する部分と連結し、Ｘ字型サポート部２４の踵部４０側の部分を固定している。
【００１６】
第３固定部５２は、足首の前方のうち、足の甲に近接する部分を覆う、靴下１の構成部分である。踵後ろ部５４が、アキレス腱の下の踵の後ろを少なくとも覆う、靴下１の構成部分である。第３固定部５２および踵後ろ部５４で、足首の踵部４０側の外周は覆われる。第３固定部５２および踵後ろ部５４は、Ｘ字型サポート部２４の踵の内側に対応する部分および踵の外側に対応する部分と連結し、Ｘ字型サポート部２４の踵部４０側の部分を固定している。口ゴム部５６は、足首を覆う筒状の、靴下１の構成部分である。
【００１７】
次に、靴下１の各構成部分の弾性率について説明する。靴下１では、Ｘ字型サポート部２４、第１固定部３４、第２固定部３８、第３固定部５２および踵後ろ部５４の弾性率は他の構成部分、すなわち、つま先部１０、前方三角領域部２２、後方三角領域部２６、踵部４０、指つけ根メッシュ部３２、メッシュ部３６および口ゴム部５６の弾性率よりも高い。さらに、前方三角領域部２２および後方三角領域部２６の弾性率は、つま先部１０、踵部４０、指つけ根メッシュ部３２、メッシュ部３６および口ゴム部５６の弾性率よりも高い。
【００１８】
Ｘ字型サポート部２４、第１固定部３４、第２固定部３８、第３固定部５２および踵後ろ部５４には、それぞれの構成部分の弾性率を高める編み組織および素材を有する高弾性材が使用される。高弾性材の編み組織は、たとえば、弾性糸が挿入されたタック編み（引き上げ編み）である。高弾性材のグランド（地）糸には、たとえば、表側ではナイロンおよびポリエステルが使用され、裏側ではポリエステルが使用されている。弾性糸にはポリウレタンが使用されている。
【００１９】
なお、高弾性材の編み組織は、靴下１の構成部分の弾性率を高める編み組織であれば、とくに限定されないが、たとえば、弾性糸が挿入された浮き編みでもよいし、弾性糸が挿入されたタック編みと浮き編みとの混合でもよい。また、高弾性材の素材としては、弾性率の高い繊維であればとくに限定されないが、ナイロンやポリエステルのほかに弾性率の高いポリ塩化ビニル、ポリプロピレンなどを使用してもよい。また、編み組織が他の構成部分と同じであっても、他の構成部分に比べて、弾性糸の構成比率を高くする、弾性糸の繊度を太くする、弾性率の高い素材の弾性糸を使用する、樹脂をコーティングする、生地を張り合わせるなどして、高弾性材を形成してもよい。また、編み組織が他の構成部分と同じであっても、編みこむ糸を増やし、編み密度を高くする、度目などを詰め、編み密度を高くするなどして、高弾性材を形成してもよい。
【００２０】
Ｘ字型サポート部２４、第１固定部３４、第２固定部３８、第３固定部５２および踵後ろ部５４のそれぞれの高弾性材は、それぞれ同じものであってもよいし、異なったものでもよい。
【００２１】
前方三角領域部２２および後方三角領域部２６の編み組織は、弾性糸が挿入されたタック編み（引き上げ編み）であり、前方三角領域部２２および後方三角領域部２６にはボス柄が形成されている。グランド糸には、ポリエステルが使用されており、弾性糸にはポリウレタンが使用されている。前方三角領域部２２および後方三角領域部２６のタック編みにおける弾性糸の挿入量を、Ｘ字型サポート部２４、第１固定部３４、第２固定部３８、第３固定部５２および踵後ろ部５４のタック編みにおける弾性糸の挿入量に比べて減らすことによって、Ｘ字型サポート部２４、第１固定部３４、第２固定部３８、第３固定部５２および踵後ろ部５４の弾性率よりも前方三角領域部２２および後方三角領域部２６の弾性率を小さくしている。
【００２２】
つま先部１０および踵部４０の編み組織は、パイル編みであり、表側のグランド糸の素材はナイロンであり、裏側のグランド糸の素材は、ポリウレタン繊維にポリエステルをカバーリングしたＦＴＹである。このような編み組織および素材を選択することによって、つま先部１０および踵部４０の伸縮性は高められ、靴下１のつま先部１０および踵部４０をユーザの足のつま先および踵にフィットさせることができる。
【００２３】
指つけ根メッシュ部３２およびメッシュ部３６の編み組織は、メッシュ編みであり、表側のグランド糸の素材はポリエステルであり、裏側のグランド糸の素材は、ポリエステルおよびポリウレタンである。指つけ根メッシュ部３２およびメッシュ部３６の編み組織をメッシュ編みにすることによって、指のつけ根ならびに足の甲および足の裏の通気性がよくなり、足ムレを防止することができる。また、このような編み組織および素材を選択することによって、指つけ根メッシュ部３２およびメッシュ部３６の伸縮性は高められ、靴下１の指つけ根メッシュ部３２およびメッシュ部３６をユーザの足の甲にフィットさせることができる。
【００２４】
口ゴム部５６の編み組織はゴム編み（リブ編み）であり、表側のグランド糸の素材はポリエステルであり、裏側のグランド糸の素材は、ポリエステルおよびポリウレタンである。このような編み組織および素材を選択することによって、口ゴム部５６のズレ落ちを防止することができる。
【００２５】
以上のような構成部分を有する靴下１をユーザが履くと、靴下１には、引っ張り応力が生ずる。ここで、引っ張り応力とは、ユーザが靴下をはいたときの伸長に対する構成部分の抵抗力である。図２および図３を参照して、靴下１に生ずる引っ張り応力を説明する。
【００２６】
図２は、本発明の一実施形態の靴下１におけるＸ字型サポート部２４の引っ張り応力を説明するための図である。図２（ａ）は、ユーザが右足に履いた靴下１を内側から見た状態を示す図であり、図２（ｂ）は、ユーザが右足に履いた靴下１を下側から見た状態を示す図である。Ｘ字型サポート部２４には、高弾性材が使用されているので、ユーザが靴下１を履いても図２に示す矢印１１０〜１４０の方向にＸ字型サポート部２４はあまり伸びない。このため、図２に示す矢印１１０〜１４０の方向に伸びようとする力に抵抗して２方向の引っ張り応力が生ずる。それぞれの方向の引っ張り応力は、足の内側縦アーチ構造Ｒ１および外側縦アーチ構造Ｒ２（図５参照）がそれぞれ機能が低下する方向に対して抵抗する方向に働くので、足の骨格のアーチ構造の機能が低下するのを抑制することができる。とくにＸ字型サポート部２４は、踵後ろ部５４で踵の後部分に保持されているので、踵部４０が伸びて、Ｘ字型サポート部２４の踵の内側部分および踵の内側部分が前方に移動して、Ｘ字型サポート部２４の引っ張り応力が弱まることはない。
【００２７】
図３は、本発明の一実施形態の靴下１における第１固定部３４、第２固定部３８、第３固定部５２および踵後ろ部５４の引っ張り応力を説明するための図であり、ユーザが右足に履いた靴下１を内側から見た状態を示す図である。第１固定部３４には、高弾性材が使用されているので、図３に示す矢印２１０の方向に第１固定部３４が伸びようとする力に抵抗して引っ張り応力が生ずる。この引っ張り応力により、足の横アーチ構造Ｒ３（図５参照）の機能が低下する方向に対して抵抗する方向の応力に生ずるので、足の骨格のアーチ構造の機能が低下するのを抑制することができる。また、第１固定部３４の引っ張り応力により、Ｘ字型サポート部２４の親指のつけ根部分および小指のつけ根部分が足に固定されるので、Ｘ字型サポート部２４の親指のつけ根部分および小指のつけ根部分が後方にずれてＸ字型サポート部２４の引っ張り応力が弱まるのを抑制することができる。
【００２８】
第２固定部３８には、高弾性材が使用されるので、図３に示す矢印２２０の方向に第２固定部３８が伸びようとする力に抵抗して引っ張り応力が生ずる。これにより、第２固定部３８で足が締め付けられ、Ｘ字型サポート部２４の踵部４０側が固定される。
【００２９】
第３固定部５２および踵後ろ部５４には、高弾性材が使用されるので、図３に示す矢印２３０の方向に第３固定部５２および踵後ろ部５４が伸びようとする力に抵抗して引っ張り応力が生ずる。これにより、第３固定部５２および踵後ろ部５４で足首が締め付けられ、Ｘ字型サポート部２４の踵部４０側が固定される。
【００３０】
踵後ろ部５４が図３に示す矢印２４０の方向にずれ落ちると、Ｘ字型サポート部２４がゆるみ、Ｘ字型サポート部２４の引っ張り応力が弱くなる。とくに、足首５０の口ゴム部５６は伸縮性が高いので、踵後ろ部５４が図３に示す矢印２４０の方向にずれ落ちてしまう可能性がある。しかし、第３固定部５２の引っ張り応力により、それを防止することができる。また、第３固定部５２がない場合であっても、第２固定部３８の引っ張り応力によってもそれを防止することができる。
【００３１】
靴下１のＸ字型サポート部２４および踵後ろ部５４は、図１および図２に示すように、図６のテーピングと同様に、親指のつけ根部分から、踵の外側部分、踵の後ろ側部分、踵の内側部分を順次通り、小指のつけ根部分に至る。すわわち、Ｘ字型サポート部２４および踵後ろ部５４は、テーピングのテープ６２０の位置に対応する位置に設けられている。しかし、Ｘ字型サポート部２４および踵後ろ部５４は靴下１の構成部分であり、足に貼り付かないので、動いてしまう。このため、Ｘ字型サポート部２４および踵後ろ部５４だけでは、靴下１を履くことにより、図６に示すテーピングと同様な効果を得ることは難しい。しかし、靴下１の第１固定部３４、第２固定部３８および第３固定部５２により、Ｘ字型サポート部２４および踵後ろ部５４は足に固定されるので、靴下１は、図６に示すテーピングと同様の効果を足に対して与えることができる。
【００３２】
Ｘ字型サポート部２４、第１固定部３４、第２固定部３８、第３固定部５２および踵後ろ部５４のそれぞれの弾性率は、同じであってもよいし、異なっていてもよい。
【００３３】
上述したように、前方三角領域部２２の弾性率は、第１固定部３４の弾性率よりも小さい。このために、前方三角領域部２２は、図４の矢印３１０の方向に広がることにより、親指のつけ根部分と小指のつけ根部分を通る靴下の外周部分を全て第１固定部３４で形成した場合に比べて、親指のつけ根と小指のつけ根を通る足の外周部分における靴下１の締め付けを弱くすることができる。これにより、親指のつけ根と小指のつけ根を通る足の外周部分がきつくなりすぎることがなくなり、足の血流が悪くなるのを抑制することができる。なお、親指のつけ根と小指のつけ根を通る足の外周部分がきつくなりすぎなければ、前方三角領域部３４の弾性率を、Ｘ字型サポート部２４および／または第１固定部３４の弾性率と同じにしてもよいし、高くしてもよい。
【００３４】
後方三角領域部２６の弾性率は、第２固定部３８の弾性率よりも小さい。このために、後方三角領域部２６は、図４の矢印３２０に示すように足の踵の形状に合わせて足の幅方向に広がることができる。これにより、Ｘ字型サポート部２４を足の土踏まずにフィットさせることができ、心地よい着用感が得られる。
【００３５】
以上の一実施形態による靴下１は、次のような作用効果を奏する。
（１）靴下１は、つま先部１０と、足底部２０と、足甲部３０と、踵部４０と、足首部５０とを備え、足底部２０がＸ字型のＸ字型サポート部２４を有し、足甲部３０がＸ字型サポート部２４のつま先部１０側を固定する第１固定部３４をつま先部１０側に有し、足甲部３０がＸ字型サポート部２４の踵部４０側を固定する第２固定部３８を足首部５０側に有し、足首部５０がＸ字型サポート部２４の踵部側を固定する第３固定部５２および踵後ろ部５４を足甲部３０側に有し、Ｘ字型サポート部２４、第１固定部３４、第２固定部３８、第３の固定部５２および踵後ろ部５４が高弾性材から構成されるようにした。これにより内側縦アーチ構造および外側縦アーチ構造のそれぞれに向けて引っ張り応力を作用させることができ、長時間、歩いたり走ったりすることによる足の骨格のアーチ構造の機能の低下をより確実に抑制することができる靴下を提供することができる。また、足の裏でＸ字型にテープを配置するテーピングの効果と同様な効果を、靴下１を履くことによって、ユーザは受けることができる。
【００３６】
（２）Ｘ字型サポート部が、足の親指のつけ根に対応する位置から踵の外側に対応する位置に延びるＸ字型サポート部構成要素２４ａおよび足の小指のつけ根に対応する位置から踵の内側部分に対応する位置に延びるＸ字型サポート部構成要素２４ｂを有し、第１固定部３４が、足甲部の足の親指のつけ根に対応する位置から小指のつけ根に対応する位置に延びる部分に配置され、第２固定部３８が、足甲部３０の足首部５０に近接する足の甲の後部を覆う領域に配置され、第３固定部５２および踵後ろ部５１が、足首部５０の外周の足甲部３０側に配置されるようにした。これにより内側縦アーチ構造および外側縦アーチ構造のそれぞれに向けて引っ張り応力を作用させることができ、長時間、歩いたり走ったりすることによる足の骨格のアーチ構造の機能の低下をより確実に抑制することができる靴下を提供することができる。また、足の裏でＸ字型にテープを配置するテーピングの効果と同様な効果を、靴下１を履くことによって、ユーザは受けることができる。
【００３７】
（３）靴下１は、Ｘ字型サポート部２４とつま先部１０とに囲まれた前方三角領域部２２とをさらに含み、前方三角領域部２２の弾性率が、Ｘ字型サポート部２４および第１固定部３４の弾性率よりも低くするようにした。これにより、親指のつけ根と小指のつけ根を通る足の外周部分がきつくなって、足の血流が悪くなるのを抑制することができる。
【００３８】
（４）靴下１は、Ｘ字型サポート部２４と踵部４０とに囲まれた後方三角領域部２６とをさらに含み、後方三角領域部２６の弾性率が、Ｘ字型サポート部２４および第２固定部３８の弾性率よりも低くするようにした。これにより、Ｘ字型サポート部２４を足の土踏まずにフィットさせることができ、心地よい着用感が得られる。
【００３９】
以上の一実施形態の靴下１を次のように変形することができる。
Ｘ字型サポート部２４の踵部４０側を固定できれば、第２固定部３８、第３固定部５２および踵後ろ部５４のうち、第２固定部３８のみを靴下１に形成してもよい。また、Ｘ字型サポート部２４の踵部４０側を固定できれば、第２固定部３８、第３固定部５２および踵後ろ部５４のうち、第３固定部５２および踵後ろ部５４のみを靴下１に形成してもよい。さらに第２固定部３８、第３固定部５２および踵後ろ部５４のうち、第２固定部３８および踵後ろ部５４のみを靴下１に形成してもよい。
【００４０】
実施形態と変形例の一つ、もしくは複数を組み合わせることは可能である。変形例同士をどのように組み合わせることも可能である。
【００４１】
以上の説明はあくまで一例であり、本発明は上記実施形態の構成になんら限定されるものではない。
【符号の説明】
【００４２】
１    靴下
１０    つま先部
２０    足底部
２２    前方三角領域部
２４    Ｘ字型サポート部
２６    後方三角領域部
３０    足甲部
３２    指つけ根メッシュ部
３４    第１固定部
３６    メッシュ部
３８    第２固定部
４０    踵部
５０    足首部
５２    第３固定部
５４    踵後ろ部
５６    口ゴム部
【図１】
0005881805.tif 000002
【図２】
0005881805.tif 000003
【図３】
0005881805.tif 000004
【図４】
0005881805.tif 000005
【図５】
0005881805.tif 000006
【図６】
0005881805.tif 000007